(57)【要約】  【課題】複数枚を並べやすく構成され、剥がしやすく、且つ、剥がした際に反りが生じにくく、文字等が好適に記載し得る付箋を提供する。  【解決手段】少なくとも一つの角、及び、対向する二つの辺を有する台紙を備えた付箋であって、前記台紙の裏面における前記二つの辺に沿った部位に設けられた粘着領域と、これら粘着領域間に位置させて前記台紙の裏面に形成された中央部の非粘着領域と、前記台紙の裏面における前記角に対応する部位に設けられた角部の非粘着領域と、前記台紙の表面における前記粘着領域に対応する部位に設けられた剥離領域とを具備してなるものとした。このようにすることで、複数枚を並べやすく構成され、剥がしやすく、且つ、剥がした際に反りが生じにくく、文字等が好適に記載し得る付箋を提供することができる。【選択図】図３
2018012202.tif 000002
【特許請求の範囲】
【請求項１】
少なくとも一つの角、及び、対向する二つの辺を有する台紙を備えた付箋であって、
前記台紙の裏面における前記二つの辺に沿った部位に設けられた粘着領域と、これら粘着領域間に位置させて前記台紙の裏面に形成された中央部の非粘着領域と、前記台紙の裏面における前記角に対応する部位に設けられた角部の非粘着領域と、前記台紙の表面における前記粘着領域に対応する部位に設けられた剥離領域とを具備してなる付箋。
【請求項２】
前記台紙が、多角形状のものであり、
前記粘着領域が、前記台紙の対向する二つの辺に沿って一定の幅をなすように形成された帯状のものである請求項１記載の付箋。
【請求項３】
前記粘着領域が、粘着剤を隙間無く裏面に塗布したものである請求項１又は２記載の付箋。
【請求項４】
前記二つの粘着領域の幅寸法の合計が、前記二つの辺の離間寸法に対して２０〜４０％となるように設定されたものである請求項３記載の付箋。
【請求項５】
前記台紙が、多角形状のものであり、
前記粘着領域が、前記台紙の対向する二つの辺に沿って間欠的に配されたブロック状のものである請求項１記載の付箋。
【請求項６】
前記剥離領域に、コーティング処理が施されている請求項１、２、３、４又は５記載の付箋。
【発明の詳細な説明】
【技術分野】
【０００１】
本発明は、種々の用紙やホワイトボード等に貼り付けて使用される付箋に関する。
【背景技術】
【０００２】
従来、この種の付箋として、長方形の台紙の裏面における一つの辺に沿った部位に、粘着領域を設けてなるものが知られている。
【０００３】
このような通常の付箋を、例えば会議等の場面において、ホワイトボード等に多数貼り付けて使用する場合には、付箋の非粘着領域が大きくめくれ上がったり、隣接する付箋同士が重なり合ったりして、付箋に示された文字等が見にくくなるという不具合が指摘されている。
【０００４】
そのため、このような用途を考慮して、正六角形の台紙の裏面における対向する二つの辺間の全域に、粘着剤が塗布された粘着領域を形成したものも開発されている（例えば、特許文献１を参照）。
【０００５】
ところで、この種の付箋は、台紙の裏面に形成された粘着領域に対応させてその表面に剥離領域が設けられており、複数枚を重ね合わせた状態で製品化されている。この剥離領域は、台紙の表面にコーティング処理を施すことにより形成されるものが一般的である。コーティング処理自体はこの分野でよく知られているものを適用するものであってよい。剥離領域を無くしたり、剥離領域の剥離性能を低く抑えたりすると付箋を一枚ずつ剥がして使用する際に、台紙が大きく反ってしまうものとなる。そのため、台紙の表面には適切なコーティング処理が不可欠となっているが、前述した六角形状の付箋においては、台紙の表面における中央部全域にコーティング処理を施す必要がある。このため、付箋の表面に、水性ペン等を用いて文字等を記載しようとすると、インクが弾かれて記載しようとした文字等がかすれたり書きにくくなったりするという問題がある。
【先行技術文献】
【特許文献】
【０００６】
【特許文献１】特開平４−３５８８９５号公報
【発明の概要】
【発明が解決しようとする課題】
【０００７】
本発明は、以上のような事情に着目してなされたもので、少なくとも、複数枚を並べやすく、しかも、剥がしやすく構成された付箋を提供することにある。
【課題を解決するための手段】
【０００８】
すなわち、本発明は次の構成をなしている。
【０００９】
請求項１に記載の発明は、少なくとも一つの角、及び、対向する二つの辺を有する台紙を備えた付箋であって、前記台紙の裏面における前記二つの辺に沿った部位に設けられた粘着領域と、これら粘着領域間に位置させて前記台紙の裏面に形成された中央部の非粘着領域と、前記台紙の裏面における前記角に対応する部位に設けられた角部の非粘着領域と、前記台紙の表面における前記粘着領域に対応する部位に設けられた剥離領域とを具備してなる付箋である。
【００１０】
請求項２に記載の発明は、前記台紙が、多角形状のものであり、前記粘着領域が、前記台紙の対向する二つの辺に沿って一定の幅をなすように形成された帯状のものである請求項１記載の付箋である。
【００１１】
請求項３に記載の発明は、前記粘着領域が、粘着剤を隙間無く裏面に塗布したものである請求項１又は２記載の付箋である。
【００１２】
請求項４に記載の発明は、前記二つの粘着領域の幅寸法の合計が、前記二つの辺の離間寸法に対して２０〜４０％となるように設定されたものである請求項３記載の付箋である。
【００１３】
なお、貼り付け対象に対する粘着力と、剥がした際の台紙の反りの抑制とを両立するには、前記二つの粘着領域の幅寸法の合計が、前記二つの辺の離間寸法に対して２５〜３５％となるように設定されたものが好ましい。
【００１４】
請求項５に記載の発明は、前記台紙が、多角形状のものであり、前記粘着領域が、前記台紙の対向する二つの辺に沿って間欠的に配されたブロック状のものである請求項１記載の付箋である。
【００１５】
請求項６に記載の発明は、前記剥離領域に、コーティング処理が施されている請求項１、２、３、４又は５記載の付箋である。
【発明の効果】
【００１６】
以上説明したように本発明によれば、少なくとも、複数枚を並べやすく、しかも、剥がしやすく構成された付箋を提供することができるものとなる。
【図面の簡単な説明】
【００１７】
【図１】本発明の第一の実施形態を示す斜視図。
【図２】同実施形態における付箋の表面図。
【図３】同実施形態における付箋の裏面図。
【図４】第二の実施形態における付箋の裏面図。
【図５】第三の実施形態における付箋の裏面図。
【図６】第四の実施形態における付箋の裏面図。
【図７】第一の比較例である付箋の裏面図。
【図８】第二の比較例である付箋の裏面図。
【図９】第三の比較例である付箋の裏面図。
【図１０】第四の比較例である付箋の裏面図。
【図１１】第五の比較例である付箋の裏面図。
【図１２】第六の比較例である付箋の裏面図。
【図１３】各実施例、及び、各比較例の一覧表。
【図１４】各実施例、及び、各比較例における実験結果を示す一覧表。
【発明を実施するための形態】
【００１８】
以下、本発明の第一の実施形態を、図１〜３を参照して説明する。
【００１９】
第一の実施形態は、本発明を、貼り付け対象物たるホワイトボードＡに貼り付けて会議や打ち合わせ等を行うのに好適な付箋Ｃに適用したものである。
【００２０】
ホワイトボードＡは、磁石が吸着可能な基板の上に、ホワイトボードシートを添着したものである。
【００２１】
付箋Ｃは、例えば、複数枚重ね合わせた積層状態で、磁石が埋設されたベースＢに保持されている。そして、前記ベースＢを、前記ホワイトボードＡの所望の位置に磁力を利用して保持させることにより、付箋Ｃをホワイトボード上において適宜使用することができるようになっている。すなわち、積層状態の付箋Ｃを一枚ずつ剥がし、その剥がした付箋ＣをホワイトボードＡに貼り付けたり、或いは、ホワイトボードＡに貼り付けた付箋Ｃを一旦剥がしてホワイトボードＡ上の他の箇所に貼り直したりして、多様な情報を整理して行う会議等に用いることができるようにしている。
【００２２】
付箋Ｃは、二つの角ｄ、及び、対向する二つの辺すなわち略平行に対をなして存在する第一、第二の辺ｈ１、ｈ２を有する台紙１を備えたものであって、前記台紙１の裏面１ａにおける前記二つの辺に沿った部位に設けられた粘着領域ｅと、これら粘着領域ｅ間に位置させて前記台紙１の裏面１ａに形成された中央部の非粘着領域ｆと、前記台紙１の裏面１ａにおける前記二つの角ｄに対応する部位に設けられた角部の非粘着領域ｇと、前記台紙１の表面１ｂにおける前記粘着領域ｅに対応する部位に設けられた剥離領域ｉとを具備してなる。
【００２３】
台紙１は、多角形状のもの、図示例では六角形状のものであり、前記粘着領域ｅが、前記台紙１の対向する第一、第二の辺ｈ１、ｈ２に沿って連続し一定の幅をなすように形成された帯状のものである。前記粘着領域ｅは、粘着剤を隙間無く裏面１ａに塗布したいわゆるべた塗り状のものである。第一、第二の辺ｈ１、ｈ２に沿った二つの粘着領域ｅの幅寸法の合計は、前記第一、第二の辺ｈ１、ｈ２の離間寸法に対して２０〜４０％となるように設定されており、この実施形態では３０％に設定されている。
【００２４】
粘着領域ｅは、直線状をなす第一の辺ｈ１の両端部に位置する二つの角ｄに対応する位置まで延びており、台紙１における六つの角の内、四つの角の裏面１ａ側には粘着領域ｅが存在している。そして、残りの対角線上にある二つの角ｄの裏側には、粘着材を塗布した領域が存在せず、また台紙１の裏側における左右方向及び上下方向の中間部には、粘着材を塗布した領域が存在しない。すなわち、台紙１の裏面１ａには、前記対をなす帯状の粘着領域ｅと、前記対角線上にある二つの角ｄに対応する角部の非粘着領域ｇと、前記対をなす粘着領域ｅ間に位置する中央部の非粘着領域ｆとが設定されている。また、台紙１の表面１ｂにおける前記粘着領域ｅに対応する部位には、剥離領域ｉが形成されている。
【００２５】
剥離領域ｉは、他の付箋Ｃの粘着領域ｅが添着する領域である。この実施形態では、剥離領域ｉにはコーティング処理が施されている。なお、「コーティング処理」とは、例えば、シリコン樹脂等の樹脂を主成分とした溶剤を塗布することにより他の付箋Ｃの剥離性能を向上させるための処理である。
【００２６】
そして、製品化された状態では、下の付箋Ｃにおける剥離領域ｉに、上の付箋Ｃにおける粘着領域ｅを密着させるようにして、順次複数の付箋Ｃが積層状態になっている。
【００２７】
このような構成のものであれば、角部の非粘着領域ｇに対応する台紙１の角部を手指で摘んで引き上げることにより、順次上の付箋Ｃを容易に取り出すことができるものとなる。このため、取り出された付箋Ｃは、ホワイトボードＡのボード面等に適宜添着して使用され得るものとなる。
【００２８】
付箋Ｃは、粘着領域ｅが第一、第二の辺ｈ１、ｈ２に沿った比較的限られた領域に形成されているため、下の付箋ＣやホワイトボードＡ等の貼り付け対象物から剥がしやすい上に、剥がしたときに台紙１に大きな反りが発生しにくいものとなる。
【００２９】
また、台紙１における第一、第二の辺ｈ１、ｈ２の付近が、粘着領域ｅの存在により、ホワイトボードＡのボード面等に密着して保持され得るため、貼りついた状態において台紙１に反りが発生しにくいものとなるだけでなく、複数を整った態様で並べて添着することも好適に行い得るものとなる。
【００３０】
しかも、中央部の非粘着領域ｆに対応する台紙１における表面１ｂの部位には、剥離領域ｉが設けられておらず、粘着領域ｅに対応させたコーティング処理が施されていないものとなっている。このため、ペンを用いて台紙１の表面１ｂにおける中央部に文字等を記載しても、ペンのインクがかすれたり、文字等が書き難かったりするという不具合が無く、円滑に必要な文字・図形等を表記することが可能となる。すなわち、コーティング処理が施された剥離領域ｉを備えているため、剥離性能を好適に発揮し得るだけでなく、主たる記載領域となる中央部においてコーティング処理に影響を受けることなく文字等を記載し得るものとなる。
【００３１】
つまり、従来の付箋では、台紙の裏面に形成された粘着領域に対応させてその表面に剥離領域が設けられており、複数枚を重ね合わせた状態で製品化されている。この剥離領域は、台紙の表面にシリコン樹脂等を用いたコーティング処理を施すことにより形成されるものが一般的であり、剥離領域を無くしたり、剥離領域の剥離性能を低く抑えたりすると、剥離性能が低くいわゆるのり残り現象が起きたり、付箋を一枚ずつ剥がして使用する際に、台紙が大きく反ってしまったりするものとなる。そのため、台紙の表面には適切なコーティング処理が行われているが、従来の付箋（例えば、特許文献１）においては、台紙の表面における中央部全域にコーティング処理を施す必要がある。このため、付箋の表面に、水性ペン等を用いて文字等を記載しようとすると、インクが弾かれて記載しようとした文字等がかすれたり書きにくくなったりするという問題がある。本実施形態における付箋はかかる不具合を好適に解消し得るものとなっている。
【００３２】
なお、本発明は、上述した第一の実施形態に限定されるものではなく、例えば、図４〜６に示すような第二〜第四の実施形態をはじめ、その他、本発明の趣旨を逸脱しない範囲で種々変形が可能である。ここで、第二〜第四の実施形態において、同一又は対応する構成については、第一の実施形態と同一の符号を付して説明することとし詳細な説明を省略する。
【００３３】
第二の実施形態である付箋Ｃは、図４に示すように、六角形をなす台紙１の裏面１ａに、ブロック状の粘着領域ｅを対向する二つの辺である第一、第二の辺ｈ１、ｈ２に沿って間欠的に設けている。そして、第一、第二の辺ｈ１、ｈ２に沿って設けられた二つの粘着領域ｅ間に位置する部位に、中央部の非粘着領域ｆを備えるとともに、二つの角ｄに対応する部位に、角部の非粘着領域ｇを備えている。なお、対向する二つの辺における第一の辺ｈ１には、三つのブロック状の粘着領域ｅが間欠的に配されており、二つの辺における第二の辺ｈ２には、二つのブロック状の粘着領域ｅが間欠的に配されている。
【００３４】
上述した第二の実施形態に示すものであれば、前述した作用効果に加え、ブロックの間隔、大きさ、或いは、数を変更することにより、粘着力や剥がし易さを調整し易いものとなる。しかも、ブロック状の粘着領域ｅが間欠的に設けられているため、台紙１に反りが発生しにくいものとなっている。
【００３５】
第三の実施形態である付箋Ｃは、図５に示すように、正方形をなす台紙１の裏面１ａに、帯状の粘着領域ｅを対向する二つの辺である第一、第二の辺ｈ１、ｈ２に沿って設けている。そして、第一、第二の辺ｈ１、ｈ２に沿って設けられた二つの粘着領域ｅ間に位置する部位に、中央部の非粘着領域ｆが形成されている。なお、前記粘着領域ｅの長さは、前記第一、第二の辺ｈ１、ｈ２の長さよりも短く設定されており、各角ｄに対応する部位には角部の非粘着領域ｇが形成されている。
【００３６】
上述した第三の実施形態に示すものであれば、第一の実施形態の作用効果に加えて、全ての角ｄに角部の非粘着領域ｇが存在することになるため、手指により剥がし易いものとなっている。
【００３７】
第四の実施形態である付箋Ｃは、図６に示すように、正方形をなす台紙１の裏面１ａに、ブロック状の粘着領域ｅを対向する二つの辺である第一、第二の辺ｈ１、ｈ２に沿って間欠的に設けている。そして、第一、第二の辺ｈ１、ｈ２に沿って設けられた二つの粘着領域ｅ間に位置する部位に、中央部の非粘着領域ｆを備えている。なお、対角線上に位置する二つの角ｄの裏面１ａには、粘着領域ｅが設けられていない。すなわち、対角線上に位置する二つの角ｄの裏面１ａには、角部の非粘着領域ｇを備えている。
【００３８】
上述した第四の実施形態に示すものであれば、第一の実施形態の作用効果に加えて、ブロックの間隔、大きさ、或いは、数を変更することにより、粘着力や剥がし易さを調整し易いものとなる。しかも、ブロック状の粘着領域ｅが間欠的に設けられているため、台紙１に反りが発生しにくいものとなっている。
【００３９】
次いで、本発明の実施例、及び、比較例について説明する。なお、比較例においても、上述した実施形態と同一又は対応する構成については、同一の符号を付して説明することとし詳細な説明を省略する。
【００４０】
（実施例１）
実施例１の付箋Ｃは、図１〜３に対応するもので、第一の辺ｈ１と第二の辺ｈ２との離間寸法が６．５ｃｍの正六角形の形状をなすものであり、紙製の台紙１に再剥離可能な再剥離性粘着剤、一般的にはアクリル系、ゴム系、ウレタン系等の再剥離粘着剤（以下、単に「粘着剤」という。）を塗布することにより粘着領域ｅが形成されている。
【００４１】
二つの粘着領域ｅの幅寸法の合計は、第一の辺ｈ１と第二の辺ｈ２との離間寸法に対して、３０％となるように設定されている。
【００４２】
（実施例２）
実施例２の付箋Ｃは、図４に対応するもので、第一の辺ｈ１と第二の辺ｈ２との離間寸法が６．５ｃｍの正六角形の形状をなすものであり、紙製の台紙１に粘着剤を塗布することにより粘着領域ｅが形成されている。
【００４３】
第一の辺ｈ１には、三つのブロック状をなす粘着領域ｅが形成されており、第二の辺ｈ２には、二つのブロック状をなす粘着領域ｅが形成されている。
【００４４】
二つの粘着領域ｅの幅寸法の合計は、第一の辺ｈ１と第二の辺ｈ２との離間寸法に対して、３０％となるように設定されている。
【００４５】
（実施例３）
実施例３の付箋Ｃは、図５に対応するもので、第一の辺ｈ１と第二の辺ｈ２との離間寸法が６．５ｃｍの正方形状をなすものであり、紙製の台紙１に粘着剤を塗布することにより粘着領域ｅが形成されている。
【００４６】
二つの粘着領域ｅの幅寸法の合計は、第一の辺ｈ１と第二の辺ｈ２との離間寸法に対して、３０％となるように設定されている。
【００４７】
（実施例４）
実施例４の付箋Ｃは、図６に対応するもので、第一の辺ｈ１と第二の辺ｈ２との離間寸法が６．５ｃｍの正方形状をなすものであり、紙製の台紙１に粘着剤を塗布することにより粘着領域ｅが形成されている。
【００４８】
第一の辺ｈ１には、四つのブロック状をなす粘着領域ｅが形成されており、第二の辺ｈ２には、四つのブロック状をなす粘着領域ｅが形成されている。
【００４９】
二つの粘着領域ｅの幅寸法の合計は、第一の辺ｈ１と第二の辺ｈ２との離間寸法に対して、３０％となるように設定されている。
【００５０】
（比較例１）
比較例１の付箋Ｃは、図７に示すように、対向する二つの辺である第一の辺ｈ１と第二の辺ｈ２との離間寸法が６．５ｃｍの正六角形の形状をなすものであり、紙製の台紙１に粘着剤を塗布することにより粘着領域ｅが形成されている。
【００５１】
粘着領域ｅは、第一の辺ｈ１と第二の辺ｈ２との間に位置する全領域に、粘着剤をいわゆるべた塗り状態で塗布してなるものである。
【００５２】
（比較例２）
比較例２の付箋Ｃは、図８に示すように、対向する二つの辺である第一の辺ｈ１と第二の辺ｈ２との離間寸法が６．５ｃｍの正六角形の形状をなすものであり、紙製の台紙１に粘着剤を塗布することにより粘着領域ｅが形成されている。
【００５３】
粘着領域ｅは、第一の辺ｈ１と第二の辺ｈ２との間に位置する全領域に、粘着剤をいわゆるドットパターン状に塗布したものである。
【００５４】
（比較例３）
比較例３の付箋Ｃは、図９に示すように、第一の辺ｈ１と第二の辺ｈ２との離間寸法が６．５ｃｍの正六角形の形状をなすものであり、紙製の台紙１に粘着剤を塗布することにより粘着領域ｅが形成されている。
【００５５】
粘着領域ｅは、一つの辺に沿うようにして、粘着剤をいわゆるべた塗り状態で塗布したものである。
【００５６】
（比較例４）
比較例４の付箋Ｃは、図１０に示すように、対向する二つの辺である第一の辺ｈ１と第二の辺ｈ２との離間寸法が６．５ｃｍの正方形状をなすものであり、紙製の台紙１に粘着剤を塗布することにより粘着領域ｅが形成されている。
【００５７】
粘着領域ｅは、第一の辺ｈ１と第二の辺ｈ２との間に位置する全領域に、粘着剤をいわゆるべた塗り状態で塗布したものである。
【００５８】
（比較例５）
比較例５の付箋Ｃは、図１１に示すように、対向する二つの辺である第一の辺ｈ１と第二の辺ｈ２との離間寸法が６．５ｃｍの正方形状をなすものであり、紙製の台紙１に粘着剤を塗布することにより粘着領域ｅが形成されている。
【００５９】
粘着領域ｅは、第一の辺ｈ１と第二の辺ｈ２との間に位置する全領域に、粘着剤をいわゆるドットパターン状態で塗布したものである。
【００６０】
（比較例６）
比較例６は、図１２に示すように、対向する二つの辺である第一の辺ｈ１と第二の辺ｈ２との離間寸法が６．５ｃｍの正方形状をなすものであり、紙製の台紙１に粘着剤を塗布することにより粘着領域ｅが形成されている。
【００６１】
粘着領域ｅは、一つの辺に沿うようにして、粘着剤をいわゆるべた塗り状態で塗布したものである。
【００６２】
図１３に示す一覧表は、上述した実施例１〜４、及び、比較例１〜６を整理したものである。
【００６３】
図１４に示す一覧表は、上述した実施例１〜４、及び、比較例１〜６における実験結果を整理したものである。
【００６４】
図１４に示す一覧表では、「剥がす時の反り」、「貼った時の反り」、「粘着（全体としての安定性）」、「書き心地」、「貼り直し易さ」という検証内容について、検証した結果を「○」、「△」、「×」によって示している。
【００６５】
ここで、「剥がす時の反り」とは、積層状態の付箋Ｃを、上から一枚ずつ剥がした時に、その剥がされた付箋Ｃに発生する反りのことである。評価対象となる付箋Ｃが、再添着したときに閲覧に支障が生じる程度に反っていたと評価された場合を「×」、ほとんど反りが生じなかったと評価された場合を「○」、前記「×」と「○」との中間状態にあったと評価された場合を「△」と表示している。
【００６６】
「貼った時の反り」とは、一枚の付箋Ｃをボード面に貼り付けた状態における反りのことであり、付箋Ｃの表面１ｂに記載した文字等が読み取れないほどに反っている場合を「×」、ほとんど反りが生じない場合を「○」、前記「×」と「○」との中間状態にある場合を「△」と表示している。
【００６７】
「粘着（全体としての安定性）」とは、一枚の付箋Ｃをボード面に貼り付けた状態における粘着保持状態のことであり、時間が経過した場合にボード面から落下してしまうほどに保持力が弱い場合を「×」、意識して剥がさない限り外れることがない場合を「○」、前記「×」と「○」との中間状態にある場合を「△」と表示している。
【００６８】
「書き心地」とは、積層状態の付箋Ｃを、上から一枚ずつ剥がし、付箋Ｃの表面１ｂに水性のマーカーで文字等を書く場合のインクの乗り状態のことであり、インクを弾いたり読めないほどにかすれたりする場合を「×」、通常の紙に記載するのと略同じ場合を「○」、前記「×」と「○」との中間状態にある場合を「△」と表示している。
【００６９】
「貼り直し易さ」とは、ホワイトボードＡのボード面に貼り付けられた状態の付箋Ｃを、一旦剥がして、他の付箋Ｃに隣接させて貼り直す場合の位置決めのしやすさであり、他の付箋Ｃに対して重ならないように見やすく隣接配置するのが難しい場合を「×」、重ならないように見やすく隣接配置するのが容易な場合を「○」、前記「×」と「○」との中間状態にある場合を「△」と表示している。なお、「貼り直し易さ」という検証内容について「〇」と評価されたものについては、さらに、情報を整理する際に情報を関連付けてグループ分けしたり情報を再整理する際に配置変更したりする場合に非常に貼り直し易いと評価されたものを「◎」と表示している。
【００７０】
実施例１〜４は、台紙１における対向する第一、第二の辺ｈ１、ｈ２に沿って粘着領域ｅが形成されており、台紙１の裏面１ａにおける中央部には粘着領域ｅが存在せず、台紙１の表面１ｂにおける中央部には剥離領域ｉが存在しない。そのため、剥がしたときの反りは発生しにくく、「剥がす時のそり」や「貼った時の反り」の評価は全て良好なものとなっている。それに対して、比較例１、４は、台紙１の裏面１ａにおける中央部にもべた塗り状態で塗布した粘着領域ｅが存在するため、剥がした時に全体的に反った形状になりやすい。
【００７１】
また、実施例１〜４は、対向する第一、第二の辺ｈ１、ｈ２に沿った部位、すなわち相互に離間した部位に粘着領域ｅが設けてあるため、ホワイトボードＡのボード面に添着させた場合に剥がれにくく、安定した添着状態を保持させることができる。これに対して、比較例３及び６は、一辺に沿った部位にのみ粘着領域ｅが形成されているため、粘着領域ｅが存在しない部位が浮き上がりやすくその浮き上がった部位に外力が作用すると落下してしまうことがあった。
【００７２】
実施例１〜４は、台紙１の表面１ｂにおける粘着領域ｅに対応する部位にのみコーティング処理を施した剥離領域ｉが存在し、台紙１の表面１ｂにおける中央部には剥離領域ｉが存在せず、台紙１の素材である紙が表出しているため、水性マーカーであっても綺麗に記述することができた。これに対して、比較例１、２、４、５は、台紙１の表面１ｂにおける中央部にコーティング処理が施された剥離領域ｉが存在するため、水性マーカーで記述を行うと記述した文字や図形がかすれて見にくくなることが多かった。
【００７３】
実施例１〜４は、対向する第一、第二の辺ｈ１、ｈ２に沿った部位、すなわち相互に離間した部位に粘着領域ｅが設けてあるため、ホワイトボードＡのボード面に添着された他の付箋Ｃに辺を揃えて貼ることが容易であり、会議の進行に応じて適宜その位置を変更することも円滑に行えた。これに対して、比較例３及び６は、一辺に沿った部位にのみ粘着領域ｅが形成されているため、ボード面に添着した場合、粘着領域ｅが存在しない部位が浮き上がりやすくその浮き上がった部分同士が重なることが多い。
【００７４】
以上のように、実施例１〜４については、各検証内容のすべてにおいて、良好な評価となった。
【００７５】
なお、本発明は、以上に詳述した実施形態に限られるものではない。
【００７６】
付箋は、少なくとも一つの角、及び、対向する二つの辺を有した台紙を備えていればよく、台紙の形状は、上述した各実施形態に示すものには限定されるものではない。
【００７７】
粘着領域は、台紙の裏面における二つの辺に沿った部位に設けられていればよく、上述した連続した帯状の態様や、ブロック状のものを間欠的に複数配列してなるものに限られず、その趣旨を逸脱しない範囲で種々の態様を適用することができるものとなる。
【００７８】
その他、各部の具体的構成についても上記実施形態に限られるものではなく、本発明の趣旨を逸脱しない範囲で種々変形が可能である。
【符号の説明】
【００７９】
Ｃ…付箋
１…台紙
１ａ…裏面
ｄ…角
ｅ…粘着領域
ｆ…中央部の非粘着領域
ｇ…角部の非粘着領域
ｈ１、ｈ２…第一、第二の辺（対向する二つの辺）
ｉ…剥離領域
【図１】
2018012202.tif 000003
【図２】
2018012202.tif 000004
【図３】
2018012202.tif 000005
【図４】
2018012202.tif 000006
【図５】
2018012202.tif 000007
【図６】
2018012202.tif 000008
【図７】
2018012202.tif 000009
【図８】
2018012202.tif 000010
【図９】
2018012202.tif 000011
【図１０】
2018012202.tif 000012
【図１１】
2018012202.tif 000013
【図１２】
2018012202.tif 000014
【図１３】
2018012202.tif 000015
【図１４】
2018012202.tif 000016